Podtech/llm-jp-corpus-v4-ja_patent huggingface dataset:
【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
改変イガイ接着タンパク質であって、カテコール部分の少なくとも１つの水酸基残基への保護基を含む、少なくとも１つの光ケージド３，４−ジヒドロキシフェニルアラニン誘導体残基を備え、前記光ケージド３，４−ジヒドロキシフェニルアラニン誘導体残基は、天然のアミノ酸を置換し、前記保護基を、ＵＶ光での照射により、前記３，４−ジヒドロキシフェニルアラニン誘導体残基から切断でき、
前記改変イガイ接着タンパク質は改変ｆｐ−５タンパク質であり、配列番号１、配列番号２、配列番号３、配列番号１１、配列番号１２、配列番号１３、配列番号１４、配列番号１５、配列番号１６、配列番号１７、配列番号１８又は配列番号１９と少なくとも９５％同一であるアミノ酸配列を含む、改変イガイ接着タンパク質。
【請求項２】
請求項１に記載の改変イガイ接着タンパク質において、前記光ケージド３，４−ジヒドロキシフェニルアラニン誘導体残基が、チロシン残基を置換することを特徴とする、改変イガイ接着タンパク質。
【請求項３】
請求項１または２に記載の改変イガイ接着タンパク質において、前記光ケージド３，４−ジヒドロキシフェニルアラニン誘導体残基が、オルト−ニトロベンジル−３，４−ジヒドロキシフェニルアラニン残基であることを特徴とする、改変イガイ接着タンパク質。
【請求項４】
請求項１〜３のいずれか一項に記載の改変イガイ接着タンパク質において、請求項１で定義された前記アミノ酸配列のＮ末端に融合している、配列番号４と少なくとも９５％同一であるアミノ酸配列を含む、改変イガイ接着タンパク質。
【請求項５】
請求項１〜５のいずれか一項に記載の改変イガイ接着タンパク質を含む、生分解性接着剤。
【請求項６】
表面を、前記改変イガイタンパク質に共有結合している機能的本体で被覆するための、請求項１〜４のいずれか一項に記載の改変イガイ接着タンパク質を含む、コート剤。
【請求項７】
請求項６に記載のコート剤において、前記機能的本体が、抗菌特性を示すことを特徴とする、コート剤。
【請求項８】
外科手術における使用又は治療における使用のための、請求項１〜４のいずれか一項に記載の改変イガイ接着タンパク質。
【請求項９】
骨折の処置における使用のための又は創傷治癒を促進するための、請求項１〜４のいずれか一項に記載の改変イガイ接着タンパク質。
【請求項１０】
配列番号５、配列番号６又は配列番号７と少なくとも９９％同一である配列を有する、請求項４に記載の改変イガイ接着タンパク質をコードする核酸。
【請求項１１】
配列番号８、配列番号９又は配列番号１０と少なくとも９８％同一であるアミノ酸配列を含む、アミノアシル−tＲＮＡシンターゼ。
【請求項１２】
合成されるペプチドにオルト−ニトロベンジル−３，４−ジヒドロキシフェニルアラニンを組み込むための、請求項１１に記載のアミノアシル−tＲＮＡシンターゼの使用。
【手続補正２】
【補正対象書類名】明細書
【補正対象項目名】００７０
【補正方法】変更
【補正の内容】
【００７０】
Ｄｏｐａが接着の向上の要因であることを検証するために、未改変及びアミノ機能化チップを調べた。両方とも、低いｐＮ範囲での接着を示し、いずれの場合も、ＵＶ露光に影響を受けなかった。ｍ−ＯＮＢ−Ｄｏｐａの５又は１０の場合を備えたｆｐ−５のデータは、Ｄｏｐａ媒介接着の時空間制御の実現可能性及び組み換え的に産生された光ケージドＭＡＰの高い可能性についての明確な証拠を提供する。
なお、本発明は、態様として以下の内容を含む。
〔態様１〕
改変イガイ接着タンパク質であって、カテコール部分の少なくとも１つの水酸基残基への保護基を含む、少なくとも１つの光ケージド３，４−ジヒドロキシフェニルアラニン誘導体残基を備え、前記光ケージド３，４−ジヒドロキシフェニルアラニン誘導体残基は、天然のアミノ酸を置換し、前記保護基を、ＵＶ光での照射により、前記３，４−ジヒドロキシフェニルアラニン誘導体残基から切断できる、改変イガイ接着タンパク質。
〔態様２〕
態様１に記載の改変イガイ接着タンパク質において、改変ｆｐ−５タンパク質であることを特徴とする、改変イガイ接着タンパク質。
〔態様３〕
態様１又は２に記載の改変イガイ接着タンパク質において、前記光ケージド３，４−ジヒドロキシフェニルアラニン誘導体残基が、チロシン残基を置換することを特徴とする、改変イガイ接着タンパク質。
〔態様４〕
態様１〜３のいずれか一態様に記載の改変イガイ接着タンパク質において、前記光ケージド３，４−ジヒドロキシフェニルアラニン誘導体残基が、オルト−ニトロベンジル−３，４−ジヒドロキシフェニルアラニン残基であることを特徴とする、改変イガイ接着タンパク質。
〔態様５〕
態様１〜３のいずれか一態様に記載の改変イガイ接着タンパク質において、配列番号１４、配列番号１５、配列番号１６、配列番号１７、配列番号１８又は配列番号１９と少なくとも９５％同一であるアミノ酸配列を含む、改変イガイ接着タンパク質。
〔態様６〕
態様１〜５のいずれか一態様に記載の改変イガイ接着タンパク質において、配列番号１、配列番号２、配列番号３、配列番号１１、配列番号１２又は配列番号１３と少なくとも９５％同一であるアミノ酸配列を含む、改変イガイ接着タンパク質。
〔態様７〕
態様５又は６に記載の改変イガイ接着タンパク質において、態様５又は６で定義された前記アミノ酸配列のＮ末端に融合している、配列番号４と少なくとも９５％同一であるアミノ酸配列を含む、改変イガイ接着タンパク質。
〔態様８〕
インビトロでの生分解性接着剤としての、態様１〜７のいずれか一態様に記載の改変イガイ接着タンパク質の使用。
〔態様９〕
表面を、前記改変イガイタンパク質に共有結合している機能的本体でインビトロ被覆するための、態様１〜７のいずれか一態様に記載の改変イガイ接着タンパク質の使用。
〔態様１０〕
態様９に記載の使用において、前記機能的本体が、抗菌特性を示すことを特徴とする、使用。
〔態様１１〕
外科手術における使用又は治療における使用のための、特に、生分解性接着剤としての、態様１〜７のいずれか一態様に記載の改変イガイ接着タンパク質。
〔態様１２〕
骨折の処置における使用のための又は創傷治癒を促進するための、態様１〜７のいずれか一態様に記載の改変イガイ接着タンパク質。
〔態様１３〕
配列番号５、配列番号６又は配列番号７と少なくとも９９％同一である配列を有する、態様７に記載の改変イガイ接着タンパク質をコードする核酸。
〔態様１４〕
配列番号８、配列番号９又は配列番号１０と少なくとも９８％同一であるアミノ酸配列を含む、アミノアシル−tＲＮＡシンターゼ。
〔態様１５〕
合成されるペプチドにオルト−ニトロベンジル−３，４−ジヒドロキシフェニルアラニンを組み込むための、態様１４に記載のアミノアシル−tＲＮＡシンターゼの使用。
〔態様１６〕
ペプチドの合成中でのカテコール部分の少なくとも１つの水酸基残基へのＵＶ光の照射により切断できる保護基を含む、光ケージド３，４−ジヒドロキシフェニルアラニン誘導体の使用。
〔態様１７〕
態様１６に記載の使用において、前記光ケージド３，４−ジヒドロキシフェニルアラニン誘導体残基が、オルト−ニトロベンジル−３，４−ジヒドロキシフェニルアラニンであることを特徴とする、使用。
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
抗炎症性マクロファージを作製する方法であって、
ＣＤ１４+細胞が、抗炎症性マクロファージ表現型を獲得するまで、ｉｎ  ｖｉｔｒｏでＣＤ１４+細胞を、組織特異的細胞または組織特異的細胞外因子とともに同時培養するステップ
を含む、方法。
【請求項２】
組織特異的細胞が、心臓線維芽細胞である、請求項１に記載の方法。
【請求項３】
組織特異的細胞外因子が、心臓組織に対して特異的である、請求項１に記載の方法。
【請求項４】
組織特異的細胞外因子が、エキソソーム、微小胞および細胞外マトリックスからなる群から選択される、請求項３に記載の方法。
【請求項５】
請求項１に記載の方法によって製造された抗炎症性マクロファージの集団。
【請求項６】
ＣＤ１４+細胞が単球である、請求項１に記載の方法。
【請求項７】
組織特異的細胞が、骨髄細胞、皮膚細胞、肺細胞、膵臓細胞、肝臓細胞、腎臓細胞、脳細胞、内分泌細胞および生殖器に由来する細胞からなる群から選択される、請求項１に記載の方法。
【請求項８】
組織特異的細胞外因子が、エキソソーム、微小胞および細胞外マトリックスからなる群から選択される、請求項１に記載の方法。
【請求項９】
請求項１に記載の方法によって製造された抗炎症性マクロファージの集団であって、ＣＤ１６３低、ＣＤ２０６高、ＣＤ１６低、ＰＤ−Ｌ１高、ＰＤ−Ｌ２高、ＴＧＦ−β高、ＴＮＦ−α低、ＩＬ−６高、ＩＬ−１０高、ＩＬ−１ｂ高およびセルピン−１高の心臓線維芽細胞エキソソームによって教育されたマクロファージ（ＣＦ−ＥＥＭ）を含む、集団。
【請求項１０】
請求項１に記載の方法によって製造された抗炎症性マクロファージの集団であって、ＣＤ１６３低、ＣＤ２０６高、ＣＤ１６低、ＰＤ−Ｌ１高、ＰＤ−Ｌ２高、ＴＧＦ−β高、ＴＮＦ−α低、ＩＬ−６高、ＩＬ−１ｂ高およびセルピン−１高の骨髄エキソソームによって教育されたマクロファージ（ＢＭ−ＥＥＭ）を含む、集団。
【請求項１１】
請求項９に記載のマクロファージの集団を含む、心血管疾患を軽減する治療のための医薬組成物。
【請求項１２】
注射によって投与される、請求項１１に記載の医薬組成物。
【請求項１３】
局所適用によって投与される、請求項１１に記載の医薬組成物。
【請求項１４】
心血管疾患が、虚血性心不全である、請求項１１に記載の医薬組成物。
【請求項１５】
医薬上許容される担体とともに注射によって投与される、請求項１４に記載の医薬組成物。
【請求項１６】
担体が、注射用心臓線維芽細胞由来細胞外マトリックスである、請求項１５に記載の医薬組成物。
【請求項１７】
請求項９に記載のマクロファージの集団と
医薬上許容される担体と
を含む、組成物。
【請求項１８】
担体が、液体、オイル、ローション、軟膏、クリーム、フォーム、ゲル、ペースト、パウダー、フィルムおよびヒドロゲルからなる群から選択される、請求項１７に記載の組成物。
【請求項１９】
担体が、注射用心臓線維芽細胞由来細胞外マトリックス（ＣＦ−ＥＣＭ）である、請求項１７に記載の組成物。
【請求項２０】
ＣＦ−ＥＣＭが、心臓線維芽細胞由来エキソソームをさらに含む、請求項１９に記載の組成物。
【手続補正２】
【補正対象書類名】明細書
【補正対象項目名】００９３
【補正方法】変更
【補正の内容】
【００９３】
参考文献
2020511999.tif 000001
2020511999.tif 000002
2020511999.tif 000003
2020511999.tif 000004
本発明のまた別の態様は、以下のとおりであってもよい。
〔１〕抗炎症性マクロファージを作製する方法であって、
ＣＤ１４+細胞が、抗炎症性マクロファージ表現型を獲得するまで、ｉｎ  ｖｉｔｒｏでＣＤ１４+細胞を、組織特異的細胞または組織特異的細胞外因子とともに同時培養するステップ
を含む、方法。
〔２〕組織特異的細胞が、心臓線維芽細胞である、前記〔１〕に記載の方法。
〔３〕組織特異的細胞外因子が、心臓組織に対して特異的である、前記〔１〕に記載の方法。
〔４〕組織特異的細胞外因子が、エキソソーム、微小胞および細胞外マトリックスからなる群から選択される、前記〔３〕に記載の方法。
〔５〕前記〔１〕に記載の方法によって製造された抗炎症性マクロファージの集団。
〔６〕ＣＤ１４+細胞が単球である、前記〔１〕に記載の方法。
〔７〕組織特異的細胞が、骨髄細胞、皮膚細胞、肺細胞、膵臓細胞、肝臓細胞、腎臓細胞、脳細胞、内分泌細胞および生殖器に由来する細胞からなる群から選択される、前記〔１〕に記載の方法。
〔８〕組織特異的細胞外因子が、エキソソーム、微小胞および細胞外マトリックスからなる群から選択される、前記〔１〕に記載の方法。
〔９〕前記〔１〕に記載の方法によって製造された抗炎症性マクロファージの集団であって、ＣＤ１６３低、ＣＤ２０６高、ＣＤ１６低、ＰＤ−Ｌ１高、ＰＤ−Ｌ２高、ＴＧＦ−β高、ＴＮＦ−α低、ＩＬ−６高、ＩＬ−１０高、ＩＬ−１ｂ高およびセルピン−１高の心臓線維芽細胞エキソソームによって教育されたマクロファージ（ＣＦ−ＥＥＭ）を含む、集団。
〔１０〕前記〔１〕に記載の方法によって製造された抗炎症性マクロファージの集団であって、ＣＤ１６３低、ＣＤ２０６高、ＣＤ１６低、ＰＤ−Ｌ１高、ＰＤ−Ｌ２高、ＴＧＦ−β高、ＴＮＦ−α低、ＩＬ−６高、ＩＬ−１ｂ高およびセルピン−１高の骨髄エキソソームによって教育されたマクロファージ（ＢＭ−ＥＥＭ）を含む、集団。
〔１１〕それを必要とする対象において状態を軽減するための治療の方法であって、対象に、前記〔９〕に記載のマクロファージの集団を投与するステップを含み、状態が、心血管疾患である、方法。
〔１２〕マクロファージの集団を、注射によって投与する、前記〔１１〕に記載の方法。
〔１３〕マクロファージの集団を、局所適用によって投与する、前記〔１１〕に記載の方法。
〔１４〕状態が、虚血性心不全である、前記〔１１〕に記載の方法。
〔１５〕マクロファージを、医薬上許容される担体とともに注射によって投与する、前記〔１４〕に記載の方法。
〔１６〕担体が、注射用心臓線維芽細胞由来細胞外マトリックスである、前記〔１５〕に記載の方法。
〔１７〕前記〔９〕に記載のマクロファージの集団と
医薬上許容される担体と
を含む、組成物。
〔１８〕担体が、液体、オイル、ローション、軟膏、クリーム、フォーム、ゲル、ペースト、パウダー、フィルムおよびヒドロゲルからなる群から選択される、前記〔１７〕に記載の組成物。
〔１９〕担体が、注射用心臓線維芽細胞由来細胞外マトリックス（ＣＦ−ＥＣＭ）である、前記〔１７〕に記載の組成物。
〔２０〕ＣＦ−ＥＣＭが、心臓線維芽細胞由来エキソソームをさらに含む、前記〔１９〕に記載の組成物。
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
Ｉｌｅ１３１、Ｌｙｓ１４７、Ｌｙｓ１４８、Ｐｈｅ１４９、Ｔｈｒ１５０、Ｔｈｒ１５１、Ａｒｇ１６９、Ｌｙｓ１７４及びＧｌｎ１７５から選択される少なくとも１つの残基（ここで、残基ナンバリングは配列番号：１に従う）を含む、グレムリン−１上のエピトープへ結合する抗体。
【請求項２】
Ｉｌｅ１３１、Ｌｙｓ１４７、Ｌｙｓ１４８、Ｐｈｅ１４９、Ｔｈｒ１５０、Ｔｈｒ１５１、Ａｒｇ１６９、Ｌｙｓ１７４及びＧｌｎ１７５のすべて含むエピトープを結合する、請求項１に記載の抗体。
【請求項３】
Ｌｙｓ１４７、Ｌｙｓ１４８、Ｐｈｅ１４９、Ｔｈｒ１５０、Ｔｈｒ１５１、Ａｒｇ１６９、Ｌｙｓ１７４及びＧｌｎ１７５は同じグレムリン−１モノマー上に所在し、Ｉｌｅ１３１は第２のグレムリン−１モノマー上に所在する、請求項１又は２に記載の抗体。
【請求項４】
抗体パラトープがＸ線結晶学によって決定されるグレムリン−１残基の４Å内にあるならば、前記抗体が前記グレムリン−１残基に結合する、請求項１、２又は３のいずれか一項に記載の抗体。
【請求項５】
Ｈｅｋ−Ｉｄ１レポーター遺伝子アッセイにおいてシグナルを回復させる、請求項１〜４のいずれか一項に記載の抗体。
【請求項６】
配列番号：１０もしくは１２の重鎖可変領域（ＨＣＶＲ）内に含有される重鎖相補性決定領域（ＨＣＤＲ）配列、及び／又は配列番号：１１もしくは１３の軽鎖可変領域（ＬＣＶＲ）内に含有される軽鎖相補性決定領域（ＬＣＤＲ）配列を含む、抗グレムリン−１抗体。
【請求項７】
配列番号：３、４、５及び６から選択される少なくとも１つのＨＣＤＲ配列、並びに／又は配列番号：７、８及び９から選択される少なくとも１つのＬＣＤＲ配列を含む、抗グレムリン−１抗体。
【請求項８】
配列番号：６のＨＣＤＲ３配列を含む、請求項７に記載の抗体。
【請求項９】
前記ＨＣＤＲ１／ＨＣＤＲ２／ＨＣＤＲ３配列の組み合わせが、配列番号：４／５／６もしくは配列番号：３／５／６から選択される、及び／又は、前記ＬＣＤＲ１／ＬＣＤＲ２／ＬＣＤＲ３配列の組み合わせが、配列番号：７／８／９から選択される、請求項７又は８に記載の抗体。
【請求項１０】
配列番号：４／５／６／７／８／９又は配列番号：３／５／６／７／８／９のＨＣＤＲ１／ＨＣＤＲ２／ＨＣＤＲ３／ＬＣＤＲ１／ＬＣＤＲ２／ＬＣＤＲ３配列の組み合わせを含む、請求項７、８又は９のいずれか一項に記載の抗体。
【請求項１１】
配列番号：１０もしくは１２の重鎖可変領域（ＨＣＶＲ）配列及び／又は配列番号：１１もしくは１３の軽鎖可変領域（ＬＣＶＲ）配列、又はそれへ少なくとも９５％同一の配列を含む、請求項７〜１０のいずれか一項に記載の抗体。
【請求項１２】
配列番号：１０／１１もしくは１２／１３のＨＣＶＲ及びＬＣＶＲの配列ペア、又はそれへ少なくとも９５％同一の配列を含む、請求項１１に記載の抗体。
【請求項１３】
前記ＨＣＤＲ１／ＨＣＤＲ２／ＨＣＤＲ３／ＬＣＤＲ１／ＬＣＤＲ２／ＬＣＤＲ３配列が、配列番号：４／５／６／７／８／９又は配列番号：３／５／６／７／８／９からなり、前記ＨＣＶＲ及びＬＣＶＲの残りが、それぞれ配列番号：１０、１１、１２及び／又は１３に対して少なくとも９５％の同一性を含む、請求項１２に記載の抗体。
【請求項１４】
配列番号：１４、１６、１８、２２、２８、３０、３２もしくは３４の重鎖及び／又は配列番号：１５、１７、１９、２３、２９、３１、３３もしくは３５の軽鎖、又はそれへ少なくとも９５％同一の配列を含む、請求項１１〜１３のいずれか一項に記載の抗体。
【請求項１５】
配列番号：１４／１５、１６／１７、１８／１９、２２／２３、２８／２９もしくは３０／３１、３２／３３、３４／３５の重鎖及び軽鎖ペア、又はそれへ少なくとも９５％同一の配列を含む、請求項１４に記載の抗体。
【請求項１６】
前記ＨＣＤＲ１／ＨＣＤＲ２／ＨＣＤＲ３／ＬＣＤＲ１／ＬＣＤＲ２／ＬＣＤＲ３配列が、配列番号：４／５／６／７／８／９又は配列番号：３／５／６／７／８／９からなり、前記重鎖及び軽鎖の残りが、それぞれ配列番号：１４、１５、１６及び／又は１７に対して少なくとも９５％の同一性を含む、請求項１５に記載の抗体。
【請求項１７】
請求項６〜１６のいずれか一項において定義された抗体と、グレムリン−１への結合を競合する抗体。
【請求項１８】
請求項６〜１６のいずれか一項において定義された抗体と、同じグレムリン−１上のエピトープを結合する抗体。
【請求項１９】
キメラ抗体、ヒト抗体又はヒト化抗体である、請求項１〜１８のいずれか一項に記載の抗体。
【請求項２０】
Ｆａｂ、修飾Ｆａｂ、Ｆａｂ’、修飾Ｆａｂ’、Ｆ（ａｂ’）２、Ｆｖ、単一ドメイン抗体又はｓｃＦｖである、請求項１〜１９のいずれか一項に記載の抗体。
【請求項２１】
請求項１〜２０のいずれか一項において定義された抗体をコードする、単離されたポリヌクレオチド。
【請求項２２】
請求項２１に記載のポリヌクレオチドを担持する、発現ベクター。
【請求項２３】
請求項２２において定義されたベクターを含む、宿主細胞。
【請求項２４】
抗体の産生を許容する条件下で請求項２３に記載の宿主細胞を培養すること、及び、産生された前記抗体を回収することを含む、請求項１〜２０のいずれか一項において定義された抗体を産生する方法。
【請求項２５】
治療有効量の請求項１〜２０のいずれか一項において定義された抗体、並びに薬学的に許容されるアジュバント及び／又は担体を含む、医薬組成物。
【請求項２６】
ヒト又は動物の体の治療するための、請求項２５において定義された医薬組成物。
【請求項２７】
糖尿病性腎症等の腎線維症、特発性肺線維症、肺動脈性肺高血圧症、血管新生及び／又はがんを治療又は予防するための、請求項２６に記載の医薬組成物。
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
画像のストリームを受信するデータ受信機と、
造影剤のパフ注入による造影増強画像を識別し、前記画像のストリームから前記識別された画像を抽出する、造影剤検出器及び画像抽出器と、
前記画像のストリームからのライブ画像と、前記抽出された画像の再生ループとを含む表示を生成する、表示生成器と
を備える、イメージング支援介入プロシージャのためのイメージングシステム。
【請求項２】
前記造影剤検出器は、造影増強画像を、造影増強されなかった画像からフィルタ処理する画像処理技法を通して、造影増強画像を自動的に検出する、請求項１に記載のイメージングシステム。
【請求項３】
前記画像抽出器は、心臓同期のために、前記識別された画像の時間的長さを変更する、請求項１に記載のイメージングシステム。
【請求項４】
前記画像抽出器は、１つの心臓周期又は整数個の心臓周期と時間的に適合するように、前記識別された画像をトリミング又は延長する、請求項３に記載のイメージングシステム。
【請求項５】
心臓位相に関して、前記抽出された画像と前記ライブ画像とを時間的に同期させる心臓シンクロナイザを備える、請求項１に記載のイメージングシステム。
【請求項６】
前記表示生成器は、心臓位相に関して互いに時間的に同期される、前記ライブ画像と、前記抽出された画像の再生ループとを含む表示を生成する、請求項５に記載のイメージングシステム。
【請求項７】
心臓同期に使用するための心臓周期を示す心臓信号を出力する心臓信号生成器を備える、請求項３から６の何れか一項に記載のイメージングシステム。
【請求項８】
前記心臓信号生成器は、心電図センサーと、前記画像から心臓信号を導出する画像処理技法とのうちの少なくとも一方を備える、請求項７に記載のイメージングシステム。
【請求項９】
前記画像のストリームのより全体的視野の局所エリア中の造影増強画像を識別し、前記局所エリアを有する識別された前記造影増強画像を前記画像のストリームから抽出するために、前記造影剤検出器及び前記画像抽出器とともに動作するローカライザを備える、請求項１に記載のイメージングシステム。
【請求項１０】
前記ローカライザは、画像処理技法を通して、関心物体の識別に基づいて前記局所エリアを決定する、請求項９に記載のイメージングシステム。
【請求項１１】
長さを少なくとも１つの心周期とする造影注入制御を生成する、ゲート付き造影注入コントローラを備える、請求項１に記載のイメージングシステム。
【請求項１２】
画像収集機械と、
表示デバイスと、
介入ツールと、
心電図センサーと、
のうちの少なくとも１つを備える、請求項１に記載のイメージングシステム。
【請求項１３】
画像のストリームを受信するステップと、
造影剤のパフ注入による造影増強画像を識別するステップと、
前記画像のストリームから前記識別された画像を抽出するステップと、
ライブ画像と、前記抽出された画像の再生ループとを表示するステップと
を含む、イメージング支援介入プロシージャのためのコンピュータ実施方法。
【請求項１４】
１つの心臓周期又は整数個の心臓周期と時間的に適合するように、前記識別された画像をトリミング又は延長するステップを含む、請求項１３に記載のコンピュータ実施方法。
【請求項１５】
請求項１から１２の何れか一項に記載のイメージングシステムによって実施される、又は、少なくとも１つのプロセッサによって実行されたとき、請求項１３若しくは１４に記載のコンピュータ実施方法のステップを実施する、コンピュータプログラム。
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
アンテナを含む近距離無線通信モジュールを含む血管アクセスポートを介して患者の血管に挿入するための血管内デバイスであって、少なくとも前記近距離無線通信モジュールの前記アンテナは、前記血管アクセスポート内にあり、前記血管内デバイスは、電子デバイスと、前記血管内デバイスが前記血管アクセスポートを通過する際に、前記電子デバイスと前記近距離無線通信モジュールとの間の近距離無線通信リンクを維持するために、前記電子デバイスと通信可能に結合されるアンテナ装置とを含み、前記アンテナ装置は、前記血管内デバイスのシャフトに沿って置かれるアンテナ素子のアレイを含み、各アンテナ素子は、前記電子デバイスに通信可能に結合される、血管内デバイス。
【請求項２】
前記電子デバイスと前記アンテナ素子との間に結合される検出素子を更に含み、前記検出素子は、前記血管アクセスポートの近位にある前記アレイのうちのアンテナ素子を検出し、検出された前記アンテナ素子を前記電子デバイスに選択的に接続する、請求項１に記載の血管内デバイス。
【請求項３】
前記検出素子は、どのアンテナ素子が前記血管アクセスポートの近位にあるかを定期的又は継続的にチェックする、請求項２に記載の血管内デバイス。
【請求項４】
前記検出素子は、検出された前記アンテナ素子によって生成される誘導信号の強度に基づいて、前記血管アクセスポートの近位にある前記アレイのうちのアンテナ素子を検出する、請求項２又は３に記載の血管内デバイス。
【請求項５】
前記電子デバイスは、前記患者の組織と相互作用するためのセンサ又はアクチュエータを含む、請求項１から４の何れか一項に記載の血管内デバイス。
【請求項６】
血管アクセスポートを介して患者の血管に挿入するための請求項１から５の何れか一項に記載の血管内デバイスと、
前記血管内デバイスと通信するための前記血管アクセスポートと、
を含み、
前記血管アクセスポートは、アンテナを含む近距離無線通信モジュールを含み、少なくとも前記近距離無線通信モジュールの前記アンテナは、前記血管アクセスポート内にある、血管内デバイス装置。
【請求項７】
前記近距離無線通信モジュールは、周波数分割多重スキーマで複数の周波数帯域を生成する、請求項６に記載の血管内デバイス装置。
【請求項８】
前記近距離無線通信モジュールを、前記血管内デバイス用のユーザコンソールに接続するための接続ケーブルを更に含む、請求項６又は７に記載の血管内デバイス装置。
【請求項９】
請求項８に記載の血管内デバイス装置と、
前記近距離無線通信モジュールを介して前記電子デバイスと通信するユーザコンソールと、
を含む、血管内介入システム。
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
血管内の血流を特徴付ける血流予備能の値を決定する信号処理ユニットであって、
振動センサを有する血管内装置が血管内で移動されない間、安静及び充血の状態に対応する２つの異なる測定時間において、前記振動センサから、各々の測定時間において血管内血流の血流振動により生じる振動センサ信号成分を含む振動センサ信号を受信する振動センサ信号入力部と、
前記振動センサ信号を用いて前記２つの異なる測定時間における前記振動センサ信号成分を決定し、該振動センサ信号成分を用いて前記２つの異なる測定時間における前記血流振動の各振動周波数を決定し、且つ、該決定された血流振動の振動周波数を用いて前記２つの異なる測定時間における前記決定された振動周波数の周波数比を前記血流予備能の値として決定及び供給する血流決定ユニットと、
を有する、信号処理ユニット。
【請求項２】
前記血流決定ユニットが、所定の測定期間の間に受信される前記振動センサ信号の周波数ドメイン表現を決定すると共に該周波数ドメイン表現を用いて前記血流振動の振動周波数を決定する信号変換ユニットを有する、請求項１に記載の信号処理ユニット。
【請求項３】
前記血流決定ユニットが、前記振動センサ信号における心拍周波数に関連する周波数成分をフィルタ除去するフィルタユニットを有する、請求項２に記載の信号処理ユニット。
【請求項４】
前記血流予備能は、冠動脈血流予備能である、請求項１に記載の信号処理ユニット。
【請求項５】
ユーザが当該信号処理ユニットに第１振動センサ信号を供給するための測定を起動するためのユーザ入力を供給することを可能にするユーザインターフェース、
を更に有し、
前記血流決定ユニットが、前記ユーザ入力を受信することに応答して、異なる測定時間における一連の振動センサ信号を受信すると共に、所与の異なる測定時間に関して決定される振動周波数の前記第１振動センサ信号から決定された振動周波数に対する周波数比を決定及び供給する、請求項１又は請求項４に記載の信号処理ユニット。
【請求項６】
更に、前記振動センサ信号を無線キャリア信号から抽出する、請求項１に記載の信号処理ユニット。
【請求項７】
血管内挿入のためのガイドワイヤ又はカテーテル等の血管内装置と、
血流振動の振動周波数を示す振動センサ信号を供給する振動センサと、
請求項１に記載の信号処理ユニットと、
を有する、血管内血流センサシステム。
【請求項８】
前記血管内装置が、血管内血流の主方向に沿って伝搬する渦を発生するように成形された鈍頭部分を有する、請求項７に記載の血管内血流センサシステム。
【請求項９】
前記振動センサ信号を受信すると共に、無線キャリア信号を介して該振動センサ信号を前記信号処理ユニットに送信する信号通信ユニット、
を更に有し、
前記信号処理ユニットが請求項６に記載の信号処理ユニットである、請求項７に記載の血管内血流センサシステム。
【請求項１０】
前記振動センサは前記血管内装置の先端部分に配置され、該先端部分が前記血流振動により血管内血流の主方向に対して垂直な方向に弾性的に変形可能である、請求項７に記載の血管内血流センサシステム。
【請求項１１】
前記振動センサが、前記血管内装置から血管内血流の主方向に延びると共に前記血流振動により前記血管内血流の主方向に対して垂直な方向に弾性的に変形可能な鞭毛を有する、請求項７に記載の血管内血流センサシステム。
【請求項１２】
前記鞭毛が反射性のファイバ片先端へ光を導くと共に該反射性のファイバ片先端から光を受光する光ファイバ片であり、
前記光ファイバ片に導入するための光を供給する光源と、
前記ファイバ片先端から反射されると共に前記光ファイバ片の振動的変形により強度が変調された光を受光し、前記振動センサ信号を時間的に変化する反射光強度を示す光センサ信号の形で供給する光センサと、
を更に有する、請求項１１に記載の血管内血流センサシステム。
【請求項１３】
前記振動センサが、前記血管内装置の表面上に配置され、前記血流振動により前記血管内血流の主方向に対して垂直な方向に発生される時間的に変化する圧力を測定すると共に、前記振動センサ信号を該測定された圧力に依存する時間的に変化する電気信号の形で発生及び供給する１以上の圧力センサを有する、請求項７に記載の血管内血流センサシステム。
【請求項１４】
前記鈍頭部分が、前記血管内血流の主方向に沿って伝搬する渦を発生するために前記血管内装置から前記血管内血流の主方向に対して垂直な方向に突出した障壁部分を有する、請求項８に記載の血管内血流センサシステム。
【請求項１５】
コンピュータのプログラマブルプロセッサにより実行された場合に、血管内の血流を特徴付ける血流予備能の値を決定するための信号処理ユニットを動作させる方法を実行するための実行可能なコードを有するコンピュータプログラムであって、前記方法が、
振動センサを有する血管内装置が血管内で移動されない間、安静及び充血の状態に対応する２つの異なる測定時間において、前記振動センサから、血管内血流の血流振動により生じた振動センサ信号成分を有する振動センサ信号を受信するステップと、
前記振動センサ信号を用いて、前記２つの異なる測定時間における前記振動センサ信号成分を決定するステップと、
前記振動センサ信号成分を用いて、前記２つの異なる測定時間における前記血流振動の各振動周波数を決定するステップと、
前記血流振動の振動周波数を用いて、前記２つの異なる測定時間における前記決定された振動周波数の周波数比を前記血流予備能の値として決定及び供給するステップと、
を有する、コンピュータプログラム。
【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
パーソナル・ケア・デバイスのアタッチメントを識別する方法であって：
メモリを含む前記アタッチメントを、前記パーソナル・ケア・デバイスの本体部分に取り付けるステップ；
前記パーソナル・ケア・デバイスを電源投入するステップ；
前記アタッチメントの前記メモリからデータを取り出すステップ；
取り出された前記データから、少なくとも前記アタッチメントの識別子（ＩＤ）を取り出すステップ；
前記アタッチメントの前記ＩＤに関連付けられる前記パーソナル・ケア・デバイスのステータス・インジケータの出力特徴を関連付けるステップであって、  前記ステータス・インジケータは１つ以上の光源を含み、前記出力特徴は、前記１つ以上の光源を利用して、複数の異なる色又は異なる光パターンのうちの１つ以上を放出することを含み、各々の異なる色又は異なる光パターンは異なるユーザーに対応している、ステップ；及び
前記出力特徴に応じて前記ステータス・インジケータを動作させるステップ；
を含む方法。
【請求項２】
前記アタッチメントが前記パーソナル・ケア・デバイスに物理的に結合されているか否かを検出するために、同期信号クエリを送信するステップ；
を更に含む請求項１に記載の方法。
【請求項３】
前記データは、特定のユーザーに関する情報、前記特定のユーザーによって設定された好み、前記アタッチメントの使用履歴、前記特定のユーザーの使用履歴、又はそれらの少なくとも１つを含む組み合わせを含む、請求項１に記載の方法。
【請求項４】
前記特定のユーザーの治療レジメンを設定するステップ；前記治療レジメンにより決定される１つ以上のターゲット値、閾値、ゴール、又はイベントを、前記アタッチメントの前記使用履歴、前記特定のユーザーの前記使用履歴、又はそれらの少なくとも１つを含む組み合わせと比較するステップ；及び前記治療レジメンの状態又は進捗も示すように前記ステータス・インジケータを動作させるステップを更に含む請求項３に記載の方法。
【請求項５】
前記ステータス・インジケータは、聴覚的、視覚的、又は触覚的なフィードバック信号を生成するように構成されており、前記出力特徴は、前記パーソナル・ケア・デバイスのユーザーにとって永続的又は一時的に利用可能にされることが可能である、請求項１に記載の方法。
【請求項６】
前記関連付けるステップは、前記出力特徴に関連するユーザー番号又はユーザー・プロファイルに、前記アタッチメントの前記ＩＤを関連付けるステップを含む、請求項１に記載の方法。
【請求項７】
前記パーソナル・ケア・デバイスから離れているリモート・デバイスを利用して前記パーソナル・ケア・デバイスと通信するステップを更に含む請求項１に記載の方法。
【請求項８】
前記リモート・デバイスは、スマートフォン、スマートウォッチ、モバイル・コンピューティング・デバイス、前記パーソナル・ケア・デバイスの充電ユニット、コンピュータ、タブレット、サーバー、又はそれらの少なくとも１つを含む組み合わせである、請求項７に記載の方法。
【請求項９】
前記リモート・デバイスはソフトウェア・アプリケーションを含み、前記方法は、更に、前記データを取り出すために前記パーソナル・ケア・デバイスと通信するステップを更に含む、請求項７に記載の方法。
【請求項１０】
前記ステータス・インジケータは前記アタッチメント内にある、請求項１に記載の方法。
【請求項１１】
パーソナル・ケア・デバイスの取り外し可能なアタッチメントを個々のユーザーに関連付ける方法であって：
前記取り外し可能なアタッチメントのメモリからデータを取り出すステップであって、前記データは前記取り外し可能なアタッチメントの識別子（ＩＤ）を少なくとも含む、ステップ；
前記パーソナル・ケア・デバイスのステータス・インジケータの出力特徴を、前記アタッチメントの前記ＩＤに割り当てるステップであって、前記ステータス・インジケータは１つ以上の光源を含み、前記出力特徴は、前記１つ以上の光源を利用して、複数の異なる色又は異なる光パターンのうちの１つ以上を放出することを含み、各々の異なる色又は異なる光パターンは異なるユーザーに対応している、ステップ；及び
前記取り外し可能なアタッチメントが前記パーソナル・ケア・デバイスの本体部分に結合される場合に、前記出力特徴に応じて前記ステータス・インジケータを動作させるステップ；
を含む方法。
【請求項１２】
パーソナル・ケア・デバイスであって：
メモリをそれぞれが有する複数の取り外し可能なアタッチメントであって、前記メモリには前記アタッチメント各々の識別子（ＩＤ）を少なくとも含むデータが保存されており、前記ＩＤの各々は互いに異なる、複数の取り外し可能なアタッチメント；及び
複数の異なる出力特徴に応じて動作するステータス・インジケータであって、前記ステータス・インジケータは１つ以上の光源を含み、前記出力特徴は、前記１つ以上の光源を利用して、複数の異なる色又は異なる光パターンのうちの１つ以上を放出することを含み、各々の異なる色又は異なる光パターンは異なるユーザーに対応している、ステータス・インジケータ；
を含み、前記パーソナル・ケア・デバイスは、前記出力特徴のうちの相違するものを前記ＩＤの各々に関連付け、前記アタッチメントのうち対応するものが前記パーソナル・ケア・デバイスの本体部分に結合されている場合に、前記出力特徴の各々に応じて前記ステータス・インジケータを動作させるように構成されている、パーソナル・ケア・デバイス。
【請求項１３】
前記パーソナル・ケア・デバイスは電動ブラシを含み、前記アタッチメントは異なるブラシ・ヘッドを含む、請求項１２に記載のパーソナル・ケア・デバイス。
【請求項１４】
請求項１２に記載のパーソナル・ケア・デバイスであって、前記パーソナル・ケア・デバイスは、前記データを取り出し、前記データを書き直し、又はそれらのうち少なくとも１つを含む組み合わせのために、リモート・デバイスにインストールされたソフトウェア・アプリケーションとインターフェースで通信するように構成されている、パーソナル・ケア・デバイス。
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
痛み軽減注射装置であって、前記痛み軽減注射装置は：
ａ．ペン型インジェクタースリーブであって： 
薬物送達装置を動作可能に受け入れるように構成されたハウジングであって、前記ハウジングがハウジングの遠位領域にある遠位面を含み、前記遠位面が使用時に個体の注射領域と接触するように配される、ハウジング、
を含むペン型インジェクタースリーブと；
ｂ．前記遠位面の一部を冷却するための熱電冷却器と、
を含む、痛み軽減注射装置。
【請求項２】
前記遠位面を振動させるためのバイブレータをさらに含む、請求項１に記載の痛み軽減注射装置。
【請求項３】
前記バイブレータは１００Ｈｚから約３００Ｈｚに及ぶ振動数で前記遠位面を振動させる、請求項２に記載の痛み軽減注射装置。
【請求項４】
前記バイブレータは約０．３Ｇ〜約１２５Ｇの範囲の振幅で前記遠位面を振動させる、請求項２または３に記載の痛み軽減注射装置。
【請求項５】
前記熱電冷却器は前記遠位面を摂氏−１５度〜約摂氏１５度の範囲の温度に冷却する、請求項１−４のいずれか１つに記載の痛み軽減注射装置。
【請求項６】
針アセンブリをさらに含み、前記針アセンブリが：
（ａ）針、
（ｂ）傾斜トラックを含む第１の内側表面と第１の外側表面とを有する外側スリーブ、
（ｃ）外側スリーブ内に配された内側スリーブであって、内側スリーブが：
第２の内側表面、
第１の内側表面に面する第２の外側表面、
外周と、外周に沿って第２の内側表面と第２の外側表面の間に伸びる外周壁とを含む開口部、
を含む、内側スリーブ、および、
（ｄ）前記内側スリーブおよび前記外側スリーブと同軸で位置合わせされた遠位針挿入シールドであって、前記遠位針挿入シールドが、前記遠位針挿入シールドがその軸を中心に回転するにつれて、前記開口部の外周壁に接する前記開口部の外周に沿って移動するように構成された遠位シールド挿入アームを含み、前記遠位シールド挿入アームは開口部を通って伸び、遠位針挿入シールドがその軸を中心に回転するにつれて、傾斜トラック内で、および傾斜トラックに沿って移動するように構成される、遠位針挿入シールド、
を含む、請求項１−５のいずれか１つに記載の痛み軽減注射装置。
【請求項７】
前記開口部は、針の展開の前に、傾斜トラックの開始部と位置合わせされた前記開口部の第１の端部と、傾斜トラックの終了部と位置合わせされた前記開口部の第２の端部とを有し、ここで、前記開口部は前記開口部の第２の端部に配された開口部ロックノッチを有する、請求項６に記載の痛み軽減注射装置。
【請求項８】
前記開口部ロックノッチは、針が展開されて引っ込められた後に、前記遠位シールド挿入アームを適所にロックするように構成される、請求項７に記載の痛み軽減注射装置。
【請求項９】
針アセンブリは、皮膚、血液、および／または、他の様々な身体物質ならびに体液が痛み軽減注射装置を汚染するのを防ぐための障壁として役立つ、請求項６−８のいずれか１つに記載の痛み軽減注射装置。
【請求項１０】
前記外側スリーブは、皮膚、血液、および／または、他の様々な身体物質ならびに体液が痛み軽減注射装置を汚染するのを防ぐために、中央カラムよりも小さな直径を有する針開口部を含む、請求項９に記載の痛み軽減注射装置。
【請求項１１】
前記ペン型インジェクタースリーブは、針アセンブリを可逆的に受け入れる、請求項６−１０のいずれか１つに記載の痛み軽減注射装置。
【請求項１２】
前記熱電冷却器と前記遠位面に動作可能に連結された温度センサーをさらに含む、請求項６−１１のいずれかに記載の痛み軽減注射装置。
【請求項１３】
前記温度センサーは、前記遠位面の温度を検出するように構成される、請求項１２に記載の痛み軽減注射装置。
【請求項１４】
指紋センサーと針キャップロックを含む指紋認証ロック機構を含む、請求項１−１３のいずれかに記載の痛み軽減注射装置。
【請求項１５】
前記針キャップロックは、前記指紋センサーによるユーザーの指紋の認識でアンロックされる、請求項１４に記載の痛み軽減注射装置。
【手続補正２】
【補正対象書類名】明細書
【補正対象項目名】０１０８
【補正方法】変更
【補正の内容】
【０１０８】
いくつかの実施形態において、針アセンブリ（２１１）の側壁は、アダプター（２０９）（図２Ｂに図示する）の遠位端（２０７）の側壁に取り付けられる。いくつかの実施形態において、針アセンブリ（２１１）の内側スリーブ（２６６）は、インジェクタ（２０１）の遠位端に取り付けられる。いくつかの実施形態において、針アセンブリ（２１１）の外側スリーブ（２６８）の直径は内側スリーブ（２６６）より大きい。いくつかの実施形態において、内側スリーブは、インジェクター（２０１）またはシリンジの遠位端の螺筒より広い円筒状の開口部を有する。いくつかの実施形態において、ユーザーは、針アセンブリ（２１１）を痛み軽減注射装置（２００）の遠位端に取り付けるために、針アセンブリ（２１１）の中央カラム（２１７）（つまり、針アセンブリハウジング（２５９）によって包まれた外側スリーブ（２６８）および内側スリーブ（２６６））を、アダプター（２０９）の円筒状の開口部にスライドさせる。いくつかの実施形態において、ユーザーは、針アセンブリ（２１１）を標準反復式インジェクタ（１００）の遠位端に取り付けるために、針アセンブリ（２１１）の中央カラム（２１７）をアダプター（２０９）の円筒状の開口部にスライドさせる。いくつかの実施形態において、針アセンブリ（２１１）の中央カラムの壁の遠位領域は、外側スリーブ（２６８）の外壁を含む。いくつかの実施形態において、針アセンブリ（２１１）の中央カラムの壁の近位領域は、内側スリーブ（２６６）の外壁を含む。いくつかの実施形態において、針アセンブリ（２１１）は、ユーザーによって痛み軽減注射装置（２００）に可逆的に取り付けられる。いくつかの実施形態において、針アセンブリ（２１１）は、痛み軽減注射装置（２００）に可逆的にねじ込まれるか、またはスナップ留めされる。いくつかの実施形態において、内側スリーブ（２６６）の近位領域の内壁は、インジェクタ（２００）の遠位端に取り付けられ、針アセンブリ（２１１）の外壁は、痛み軽減注射装置のハウジング（２１５）の側端に取り付けられる。いくつかの実施形態において、針アセンブリは、皮膚、血液、および／または、他の様々な身体物質ならびに体液が痛み軽減注射装置（２００）を汚染するのを防ぐための障壁として役立つ。いくつかの実施形態において、針アセンブリ（２１１）の外壁は、針アセンブリ（２１１）の中央カラム（２１７）に対して近位方向に長さを増加させる。いくつかの実施形態において、中央カラム（２１７）カバーに対して増加した長さを有する針アセンブリ（２１１）の外壁は、身体の開口部および／または組織の汚染領域に注入するために、痛み軽減注射装置（２００）を使用するための有用性が増加した障壁を提供する。いくつかの実施形態では、例えば、より長い針アセンブリの外壁が、経口注射などの処置に必要である。
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
医療装置であって、前記医療装置は、
対象者の心臓運動を表す一連の光学画像を取得する光学イメージングシステムと、
機械実行可能命令を記憶するためのメモリと、
前記医療装置を制御するためのプロセッサと
を備え、
前記機械実行可能命令を実行することによって、前記プロセッサは、
前記光学イメージングシステムを使用して一連の画像を取得することであって、前記一連の画像は、少なくとも１０フレーム毎秒のレートで取得される、取得することと、
前記一連の画像から心臓運動信号を導出することであって、前記心臓運動信号は、前記一連の画像内で少なくともピクセルグループの動きを追跡することによって導出され、前記追跡することは、前記対象者の身体表面運動の前後方向の成分を抽出することによって実行される、導出することと
を繰り返し行う、医療装置。
【請求項２】
前記機械実行可能命令を実行することによって、前記プロセッサはさらに、前記心臓運動信号を使用して医療イメージングシステムによる医療画像データの取得を修正し、前記医療イメージングシステムは、イメージングゾーン内の対象者から前記医療画像データを取得する、請求項１に記載の医療装置。
【請求項３】
前記医療イメージングシステムは、磁気共鳴イメージングシステムであり、前記メモリは、磁気共鳴イメージングプロトコルに従って磁気共鳴データを取得するように前記磁気共鳴イメージングシステムを制御するためのパルスシーケンスコマンドをさらに含む、請求項２に記載の医療装置。
【請求項４】
前記磁気共鳴イメージングプロトコルは、動脈スピン標識磁気共鳴イメージングプロトコル、拡散画像磁気共鳴イメージングプロトコル、かん流画像磁気共鳴イメージングプロトコル、スピンエコー磁気共鳴イメージングプロトコル、高速スピンエコー磁気共鳴イメージングプロトコル、勾配エコー磁気共鳴イメージングプロトコル、エコープラナー磁気共鳴イメージングプロトコル、及び、定常自由歳差運動磁気共鳴イメージングプロトコルのうちのいずれか１つである、請求項３に記載の医療装置。
【請求項５】
前記医療イメージングシステムは、Ｘ線マシン、ＣＴマシン、ＰＥＴマシン、ＳＰＥＣＴ、デジタルＸ線マシン、又は超音波マシンである、請求項２に記載の医療装置。
【請求項６】
前記同期取得は、前記心臓運動信号の閾値、前記心臓運動信号の導関数、及び前記の組み合わせのうちのいずれか１つに従ってトリガされる、請求項２から５のいずれか一項に記載の医療装置。
【請求項７】
前記光学イメージングシステムは、対象者の表面上の反射面をイメージングする、請求項１から６のいずれか一項に記載の医療装置。
【請求項８】
前記光学イメージングシステムは、前記対象者の表面上に配置される、請求項１から７のいずれか一項に記載の医療装置。
【請求項９】
前記一連の画像は、少なくとも１５フレーム毎秒のレートで取得される、少なくとも２０フレーム毎秒のレートで取得される、及び、少なくとも２５フレーム毎秒のレートで取得される、のうちのいずれか１つである、請求項１から８のいずれか一項に記載の医療装置。
【請求項１０】
前記光学イメージングシステムは、ｍの等価拡大係数を有するレンズシステムを備え、前記光学イメージングシステムは、ｒのピクセルサイズを有する光学センサアレイをさらに備え、前記レンズシステム及び前記光学センサアレイの相当焦点面の間の距離はｓであり、前記光学イメージングシステムは、Ｌの距離において合焦され、（ｒ・Ｌ）／（ｓ・ｍ）は、２ｍｍ、１ｍｍ、及び０．５ｍｍのうちの任意の１つよりも小さい、請求項１から９のいずれか一項に記載の医療装置。
【請求項１１】
前記医療装置はディスプレイをさらに備え、前記機械実行可能命令を実行することによって、前記プロセッサはさらに、前記心臓運動信号から導出される心拍数及び／又は前記心臓運動信号を前記ディスプレイ上に表示するようにされる、請求項１から１０のいずれか一項に記載の医療装置。
【請求項１２】
前記心臓運動信号は、前記一連の画像内の少なくともピクセルグループの動きを二次元的に追跡することによって導出される、請求項１から１１のいずれか一項に記載の医療装置。
【請求項１３】
医療装置の作動方法であって、前記医療装置は、対象者の心臓運動を表す一連の光学画像を取得する光学イメージングシステムを備え、前記作動方法は、
前記光学イメージングシステムが一連の画像を取得するステップであって、前記一連の画像は、少なくとも１０フレーム毎秒のレートで取得される、取得するステップと、
前記一連の画像から心臓運動信号を導出するステップであって、前記心臓運動信号は、前記一連の画像内で少なくともピクセルグループの動きを追跡することによって導出され、前記追跡することは、前記対象者の身体表面運動の前後方向の成分を抽出することによって実行される、導出するステップと
の繰り返しを有する、医療装置の作動方法。
【請求項１４】
前記作動方法は、前記カメラを前記対象者の表面上に合焦させるステップをさらに有し、前記表面は、頸動脈の上方の表面、前記対象者の胸郭上の表面、及び前記対象者の心臓の上方の表面のうちのいずれか１つである、請求項１３に記載の医療装置の作動方法。
【請求項１５】
医療装置を制御するプロセッサによって実行するための機械実行可能命令を含むコンピュータプログラムであって、前記医療装置は、対象者の心臓運動を表す一連の光学画像を取得する光学イメージングシステムを備え、前記機械実行可能命令を実行することによって、前記プロセッサは、
前記光学イメージングシステムを使用して一連の画像を取得することであって、前記一連の画像は、少なくとも１０フレーム毎秒のレートで取得される、取得することと、
前記一連の画像から心臓運動信号を導出することであって、前記心臓運動信号は、前記一連の画像内で少なくともピクセルグループの動きを追跡することによって導出され、前記追跡することは、前記対象者の身体表面運動の前後方向の成分を抽出することによって実行される、導出することと
を繰り返し行う、コンピュータプログラム。
【手続補正２】
【補正対象書類名】明細書
【補正対象項目名】００６０
【補正方法】変更
【補正の内容】
【００６０】
コンピュータ実行可能コードは、本発明の態様をプロセッサに行わせるマシン実行可能命令又はプログラムを含む。本発明の態様に関する動作を実施するためのコンピュータ実行可能コードは、Java（登録商標）、Smalltalk（登録商標）、又はC++等のオブジェクト指向プログラミング言語及びＣプログラミング言語又は類似のプログラミング言語等の従来の手続きプログラミング言語を含む１つ又は複数のプログラミング言語の任意の組み合わせで書かれてもよいし、マシン実行可能命令にコンパイルされてもよい。場合によっては、コンピュータ実行可能コードは、高水準言語の形態又は事前コンパイル形態でもよいし、臨機応変にマシン実行可能命令を生成するインタプリタと共に使用されてもよい。
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
１つ以上の歯に取り外し可能に適合するように内部に成形された１つ以上のキャビティを有する第１のポリマーシェル部分と、
前記第１のポリマーシェル部分に連結された少なくとも１つのスペーサと、
前記少なくとも１つのスペーサに連結されており、かつ、１つ以上の歯を第１の向きから前記第１の向きとは異なる第２の向きに再配置するために必要な力の少なくとも一部を提供するように構成されている、第１のアーチ部材と、
を備える、歯科器具。
【請求項２】
前記第１のポリマーシェル部分は、前記１つ以上のキャビティによって画定される第１の表面領域を有する第１の表面と、前記第１の表面の反対側にあり、第２の表面領域を有する第２の表面と、を有し、前記第２の表面上に第１のスペーサが配置されている、請求項１に記載の歯科器具。
【請求項３】
１つ以上の歯に取り外し可能に適合するように内部に成形された１つ以上のキャビティを有する第２のポリマーシェル部分を更に備え、前記第２のポリマーシェル部分は、前記１つ以上のキャビティによって画定される第１の表面と、前記第１の表面の反対側にある第２の表面と、を有する、請求項１又は２に記載の歯科器具。
【請求項４】
第１のスペーサは、前記第１のアーチ部材の少なくとも一部分と前記第１のポリマーシェル部分との間に形成された間隙を提供し、前記間隙は、前記第１のアーチ部材と前記第１のポリマーシェル部分との間に干渉を引き起こすことなく、歯の所定の移動を可能にするのに十分である、請求項１〜３のいずれか一項に記載の歯科器具。
【請求項５】
患者の歯科構造のデジタル表現を受け取ることと、
取り外し可能な歯科器具の寸法及び形状を、前記取り外し可能な歯科器具を前記患者が装着したときに初期位置から調整位置へと歯科構造を修正するために必要な力に基づいて決定することと、
前記寸法及び形状に基づいて、請求項１〜４のいずれか一項に記載の取り外し可能な歯科器具を形成することと、
を含む、方法。
【請求項６】
前記歯科器具を形成することは、
ポリマー材料から、１つ以上の歯に取り外し可能に適合するように内部に成形された少なくとも１つのキャビティを有する少なくとも１つのポリマーシェル部分を形成することと、
ポリマー材料から、前記少なくとも１つのポリマーシェル部分に連結される少なくとも１つのスペーサを形成することと、
前記少なくとも１つのスペーサに連結される第１のアーチ部材を形成することと、
を更に含み、
前記少なくとも１つのポリマーシェル部分を形成することと、少なくとも１つのスペーサを形成することと、前記第１のアーチ部材を形成することとは、実質的に同時に行われる、請求項５に記載の方法。